(57)【要約】【課題】シートの左右いずれの側部にも共通して用いることができる操作用ノブ及びそれを備えるスイッチ装置を提供する。【解決手段】操作用ノブ３は、車両用シートの側部に設置されるとともに、車両用シートの各構成部を電動にて動作させるためのスイッチ２Ａ〜２Ｃが配されたスイッチ装置における操作用ノブである。操作用ノブの一方の側面３Ａには、スイッチに係止可能な第１係止部６Ａ〜６Ｃが備えられるとともに、シートの動作に関連づけられた第１表示標識８Ａ〜８Ｃが備えられている。操作用ノブの他方の側面３Ｂには、第１係止部と面対称となる形態で、スイッチに係止可能な第２係止部１０Ａ〜１０Ｃが備えられるとともに、第１表示標識と面対称となる形態で、シートの動作に関連づけられた第２表示標識１１Ａ〜１１Ｃが備えられている。【選択図】図４
2013109864.tif 000002
【特許請求の範囲】
【請求項１】
車両用シートの側部に設置されるとともに、前記車両用シートの各構成部を電動にて動作させるためのスイッチが配されたスイッチ装置における操作用ノブであって、
一方の側面には、前記スイッチに係止可能な第１係止部が備えられるとともに、前記動作に関連づけられた第１表示標識が備えられ、
他方の側面には、前記第１係止部と面対称となる形態で、前記スイッチに係止可能な第２係止部が備えられるとともに、前記第１表示標識と面対称となる形態で、前記動作に関連づけられた第２表示標識が備えられていることを特徴とする操作用ノブ。
【請求項２】
前記第１表示標識は、前記一方の側面に開口した第１開口部の開口縁の形状からなり、
前記第１開口部の奥まった位置に前記第１係止部が設けられており、
前記第２表示標識は、前記他方の側面に開口した第２開口部の開口縁の形状からなり、
前記第２開口部の奥まった位置に前記第２係止部が設けられている請求項１に記載の操作用ノブ。
【請求項３】
前記第１開口部及び前記第２開口部には、加飾部が設けられている請求項２に記載の操作用ノブ。
【請求項４】
請求項１乃至３のいずれか一項に記載の操作用ノブを備えるスイッチ装置。
【発明の詳細な説明】
【技術分野】
【０００１】
本発明は、操作用ノブ及びそれを備えるスイッチ装置に関する。更に詳しくは、シートの左右いずれの側部にも共通して用いることができる操作用ノブ及びそれを備えるスイッチ装置に関する。
【背景技術】
【０００２】
従来、前後へのスライドや座面の高さ、背もたれの傾き等、各構成部の位置を電動で動作させることができる車両用シートが知られている。このようなシートにはスイッチ装置が設けられており、スイッチ装置の操作用ノブを操作することにより、シートの各構成部を動作させることができるようになっている。また、このようなスイッチ装置は、シートの側部に設置されることが知られている（例えば、特許文献１参照）。
【先行技術文献】
【特許文献】
【０００３】
【特許文献１】特開２００４−２８１１０２号公報
【発明の概要】
【発明が解決しようとする課題】
【０００４】
スイッチ装置には、通常、操作方向や動作形態を認識できるように、動作に関連づけられた表示標識が設けられる。上記特許文献１の図１では、操作ノブ４の上側面に、表示標識が符号３１ａとして表されている。このものでは、シート右側部に設置されるスイッチ装置用と左側部に設置されるスイッチ装置用とは、鏡像関係にあり、別々の２種類の操作ノブを用意する必要があった。
【０００５】
本発明は、上記実情に鑑みてなされたものであり、シートの左右いずれの側部にも共通して用いることができる操作用ノブ及びそれを備えるスイッチ装置を提供することを目的とする。
【課題を解決するための手段】
【０００６】
上記問題点を解決するために、請求項１に記載の発明は、車両用シートの側部に設置されるとともに、前記車両用シートの各構成部を電動にて動作させるためのスイッチが配されたスイッチ装置における操作用ノブであって、一方の側面には、前記スイッチに係止可能な第１係止部が備えられるとともに、前記動作に関連づけられた第１表示標識が備えられ、他方の側面には、前記第１係止部と面対称となる形態で、前記スイッチに係止可能な第２係止部が備えられるとともに、前記第１表示標識と面対称となる形態で、前記動作に関連づけられた第２表示標識が備えられていることを要旨とする。
【０００７】
請求項２に記載の発明は、請求項１において、前記第１表示標識は、前記一方の側面に開口した第１開口部の開口縁の形状からなり、前記第１開口部の奥まった位置に前記第１係止部が設けられており、前記第２表示標識は、前記他方の側面に開口した第２開口部の開口縁の形状からなり、前記第２開口部の奥まった位置に前記第２係止部が設けられていることを要旨とする。
【０００８】
請求項３に記載の発明は、請求項２において、前記第１開口部及び前記第２開口部には、加飾部が設けられていることを要旨とする。
【０００９】
請求項４に記載の発明は、車両用シートの側部に設置されるとともに、前記車両用シートの各構成部を電動にて動作させるためのスイッチが配されたスイッチ装置において、請求項１乃至３のいずれか一項に記載の操作用ノブを備えることを要旨とする。
【発明の効果】
【００１０】
請求項１の操作用ノブによると、操作用ノブの一方の側面には、第１係止部が備えられるとともに、動作に関連づけられた第１表示標識が備えられている。また、操作用ノブの他方の側面には、第１係止部と面対称となる形態で、第２係止部が備えられるとともに、第１表示標識と面対称となる形態で、動作に関連づけられた第２表示標識が備えられている。このような構成により、スイッチ装置を車両用シートの左右いずれの側部に設置する場合であっても操作用ノブを共通して用いることができる。その結果、車両用シートの両側部で別々の操作用ノブを用いる場合と比較して、部品の種類数を削減することができる。
【００１１】
請求項２によれば、第１表示標識が、操作用ノブの一方の側面に開口した第１開口部の開口縁の形状からなり、第２表示標識が、他方の側面に開口した第２開口部の開口縁の形状からなるので、各開口部の開口縁が表示標識としての形状をなしていることにより、表示標識を容易に認識することができる。また、請求項２によれば、各係止部が各開口部の奥まった位置に設けられていることにより、操作用ノブの意匠を損なうことがない。
【００１２】
請求項３によれば、第１開口部及び第２開口部に加飾部が設けられているので、表示標識をより容易に認識することができる。
【００１３】
請求項４のスイッチ装置によると、操作用ノブの一方の側面には、第１係止部が備えられるとともに、動作に関連づけられた第１表示標識が備えられている。また、操作用ノブの他方の側面には、第１係止部と面対称となる形態で、第２係止部が備えられるとともに、第１表示標識と面対称となる形態で、動作に関連づけられた第２表示標識が備えられている。このような構成により、スイッチ装置を車両用シートの左右いずれの側部に設置する場合であっても操作用ノブを左右それぞれ用意する必要がない。その結果、車両用シートの両側部で別々の操作用ノブを用いる場合と比較して、部品の種類数を削減することができる。
【図面の簡単な説明】
【００１４】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】スイッチ装置の設置例を示す図である。
【図２】実施例に係るスイッチ装置を示す分解斜視図である。
【図３】実施例に係る操作用ノブを示す図である。
【図４】図３のＩ−Ｉ線断面図である。
【図５】実施例に係る操作軸係止部を示す拡大図である。
【図６】実施例に係る操作軸係止部を示す拡大図である。
【図７】実施例に係る固定軸係止部を示す拡大図である。
【図８】実施例に係る操作用ノブの操作を説明するための説明図である。
【図９】実施例に係るリクライニングノブを示す図である。
【図１０】図９のＩＩ−ＩＩ線断面図である。
【図１１】図９のＩＩＩ−ＩＩＩ線断面図である。
【図１２】他の実施形態に係るスイッチ装置を示す分解斜視図である。
【発明を実施するための形態】
【００１５】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１６】
本実施形態に係るスイッチ装置（１）は、各構成部が電動で動作される車両用シート（１００）に用いられる。このスイッチ装置には、車両用シートの各構成部を電動にて動作させるためのスイッチ（２Ａ，２Ｂ，２Ｃ）が配されている。また、スイッチ装置は、操作用ノブ（３）を備えている。
【００１７】
なお、上記「動作」とは、車両用シートの各構成部の電動動作であり、例えば、車両用シート全体の前後への移動（スライド）、シートバックの傾斜（リクライニング）、シートクッションの上下移動（リフター）、シートクッションの前部を上下に移動させることによるシートクッションの傾斜（フロントバーチカル）、シートクッションの後部を上下に移動させることによるシートクッションの傾斜（リアバーチカル）、シートクッションの前後方向への伸縮又は位置の移動（クッション長）等を挙げることができるが、これらに限定されるものではない。
【００１８】
上記「車両用シート」は、シートクッション（１０１）、シートバック（１０２）等の構成部を備えることができる。また、この車両用シートは、ドライバーシート、アシスタントシート等のフロントシートのみならず、セカンドシートやサードシートであってもよい。
【００１９】
上記「スイッチ」の構成、形状、個数、形態等は特に問わない。このスイッチには操作用ノブが係止されており、操作用ノブを操作することによりスイッチのオンオフの切り換えが行われる。
【００２０】
本実施形態に係る操作用ノブ（３）は、上記スイッチ装置における操作用ノブである。操作用ノブには、以下に述べる第１係止部（６Ａ〜６Ｃ）、第１表示標識（８Ａ〜８Ｃ）、第２係止部（１０Ａ〜１０Ｃ）及び第２表示標識（１１Ａ〜１１Ｃ）が備えられている。これらのうち、第１係止部及び第１表示標識は、操作用ノブの一方の側面（３Ａ）に備えられており、第２係止部及び第２表示標識は、上記第１係止部及び第１表示標識と面対称となる形態で、他方の側面（３Ｂ）に備えられている。なお、面対称の対称面は、図４において、一点鎖線にて示されている。
【００２１】
上記「第１係止部」は、スイッチ装置のスイッチに係止可能である限り、その大きさ、形状、個数、係止形態等は特に問わない。
上記「第１表示標識」は、動作に関連づけられている限り、その大きさ、形状、形態等は特に問わない。第１表示標識の形態としては、例えば、操作用ノブの側面に開口するように形成された第１開口部（９Ａ〜９Ｃ）の開口縁の形状からなる形態（例えば、図３、図４等参照）や、印刷等の表面処理により形成されている形態、表示標識が印刷されたシート状の部材が貼付されている形態等を挙げることができる。
なお、「動作に関連づけられている」標識とは、例えば、動作方向を示す矢印標識や、車両用シートを模式的に示す図形標識等であることができる（例えば、図２、図３等参照）。
【００２２】
上記「第２係止部」は、上記第１係止部と面対称となる形態で、スイッチ装置のスイッチに係止可能である限り、その大きさ、形状、係止形態等は特に問わない。
上記「第２表示標識」は、上記第１表示標識と面対称となる形態で、動作に関連づけられている限り、その大きさ、形状、形態等は特に問わない。第２表示標識は、上記第１表示標識と同様の形態であることができ、例えば、上記第１開口部と略同様に形成された第２開口部（１２Ａ〜１２Ｃ）の開口縁の形状からなる形態であることができる。
【００２３】
本実施形態に係る操作用ノブは、例えば、第１表示標識（８Ａ〜８Ｃ）が、操作用ノブの一方の側面（３Ａ）に開口した第１開口部（９Ａ〜９Ｃ）の開口縁の形状からなり、この第１開口部の奥まった位置に第１係止部（６Ａ〜６Ｃ）が設けられている形態であることができる。そして、本実施形態に係る操作用ノブは、第２表示標識（１１Ａ〜１１Ｃ）が、操作用ノブの他方の側面（３Ｂ）に開口した第２開口部（１２Ａ〜１２Ｃ）の開口縁の形状からなり、この第２開口部の奥まった位置に第２係止部（１０Ａ〜１０Ｃ）が設けられている形態であることができる（例えば、図２、図４等参照等参照）。
上記第１開口部及び上記第２開口部には、例えば、加飾部が設けられていることができる。この加飾部の形態としては、例えば、（ｉ）開口縁を印刷等の表面処理で縁取りした形態、（ｉｉ）開口縁の形状をなす加飾部材（３３Ａ〜３３Ｅ）が第１開口部又は第２開口部に嵌め込まれている形態等であることができる。
【実施例】
【００２４】
以下、図面を用いて、実施例により本発明を更に具体的に説明する。なお、本実施例では、本発明に係るスイッチ装置として、（ａ）車両用シートのシートクッション前部を上下に移動させることによるシートクッションの傾斜動作（フロントバーチカル動作）、（ｂ）車両用シート全体の前後への移動動作（スライド動作）、（ｃ）シートクッション後部を上下に移動させることによるシートクッションの傾斜動作（リアバーチカル動作）の３種類の動作を電動で行うためのスイッチ装置を例示する。なお、本実施例に係るスイッチ装置では、シートバックの傾斜動作（リクライニング動作）を行う機能も備えている。
【００２５】
（１）スイッチ装置の構成
本実施例に係るスイッチ装置１は、車両用シート（以下、単にシートとも表記する）１００の各構成部を電動にて動作させるためのスイッチ装置である。スイッチ装置１は、図１に示すように、車両用シート１００の側部（図１では左側部）に設置されている。スイッチ装置１は、（ａ）車両用シート１００のシートクッション１０１前部を上下に移動させることによるシートクッション１０１の傾斜（フロントバーチカル動作）、（ｂ）車両用シート１００全体の前後への移動（スライド動作）、（ｃ）シートクッション１０１後部を上下に移動させることによるシートクッション１０１の傾斜（リアバーチカル動作）、の３種類の動作を行うことができる。なお、スイッチ装置１は、シートバックの傾斜動作（リクライニング動作）を行うこともできる。
スイッチ装置１は、図２に示すように、本発明に係るスイッチとしての３つのスイッチ２Ａ，２Ｂ，２Ｃと、これら３つのスイッチ２Ａ〜２Ｃに係止される操作用ノブ３と、を備えている。
【００２６】
図２に示すように、スイッチ２Ａ〜２Ｃは、車両の前後方向に沿って直列に３つ並んで設けられている。３つのスイッチ２Ａ〜２Ｃは、それぞれ上記（ａ）〜（ｃ）の動作を行うためのスイッチである。各スイッチ２Ａ〜２Ｃは周知の有接点スイッチであり、接点を接触させるための操作軸４Ａ，４Ｂ，４Ｃをそれぞれ備えている。これら操作軸４Ａ〜４Ｃは、後述する操作用ノブ３の操作軸係止部に係止される。これにより、操作軸４Ａ〜４Ｃは操作用ノブ３を支持する。操作軸４Ａ〜４Ｃは、図２中に示す矢印方向に沿ってそれぞれ移動可能に設けられている。これら操作軸４Ａ〜４Ｃの可動方向は、シート１００の動作に関連づけられた方向となっている。そして、各操作軸４Ａ〜４Ｃを矢印方向に移動させることによりモータ（図示せず）が駆動され、これに対応する動作させることができるようになっている。また、操作軸４Ａ〜４Ｃの外周面には、外側方向に突出するように形成された係合フランジ５Ａ，５Ｂ，５Ｃが設けられている。係合フランジ５Ａ〜５Ｃは、操作用ノブ３の操作軸係止部６Ａ〜６Ｃに形成された図示しない係合溝に係合することによって、操作軸４Ａ〜４Ｃが操作軸係止部６Ａ〜６Ｃから抜けてしまうのを防止する。
【００２７】
なお、図２に示すように、本実施例においては、スイッチ装置１に２つの固定軸４Ｄ，４Ｅを備えるようにしている。固定軸４Ｄ，４Ｅは、直列に並ぶ３つの操作軸４Ａ〜４Ｃの間にそれぞれ設けられており、操作軸４Ａ〜４Ｃによる操作用ノブ３の支持を補助する。固定軸４Ｄ，４Ｅは、後述する操作用ノブ３の固定軸係止部にそれぞれ係止される。固定軸４Ｄ，４Ｅは、非可動である以外は操作軸４Ａ〜４Ｃと略同様の構成となっており、それらの外周面には係合フランジ５Ａ〜５Ｃと同様の係合フランジ５Ｄ，５Ｅがそれぞれ設けられている。係合フランジ５Ｄ，５Ｅは、操作用ノブ３の固定軸係止部６Ｄ，６Ｅに形成された係合溝に係合することによって、固定軸４Ｄ，４Ｅが固定軸係止部６Ｄ，６Ｅから抜けてしまうのを防止する。
【００２８】
操作用ノブ３は、図２及び３に示すように、略直方体状に形成されており、その長手方向が車両の前後方向となる向きでスイッチ２Ａ〜２Ｃに係止されている。操作用ノブ３の一方の側面３Ａには、操作軸４Ａ〜４Ｃをそれぞれ係止可能な操作軸係止部６Ａ，６Ｂ，６Ｃ（本発明に係る第１係止部として例示する）と、固定軸４Ｄ，４Ｅをそれぞれ係止可能な２つの固定軸係止部６Ｄ，６Ｅと、が備えられている。図３及び４に示すように、操作軸係止部６Ａ〜６Ｃは、それぞれ凹形状に形成されているとともに、その平面形状は長円形状に形成されている。
【００２９】
また、操作軸係止部６Ａ〜６Ｃの長円形状は、それぞれが係止される操作軸４Ａ〜４Ｃの可動方向と交差する方向に延びる形状とされている。すなわち、図５に示す操作軸係止部６Ａ，６Ｃの場合、操作用ノブ３が操作軸４Ａ，４Ｃの可動方向ではない図示左右方向に操作され、それに伴って操作軸係止部６Ａ〜６Ｃが図示左右方向に移動しても、操作軸４Ａ，４Ｃと干渉しない形状とされている。また、図６に示す操作軸係止部６Ｂの場合、操作用ノブ３が操作軸４Ｂの可動方向ではない図示上下方向に操作され、それに伴って操作軸係止部６Ｂが図示上下方向に移動しても、操作軸４Ｂと干渉しない形状とされている。
【００３０】
固定軸係止部６Ｄ，６Ｅは、操作軸係止部６Ａ〜６Ｃと同様に、凹形状に形成されているが、その平面形状は車両前後方向及び上下方向に延びる略十字形状とされている。すなわち、図７に示す固定軸係止部６Ｄ，６Ｅの場合、操作用ノブ３が上下又は前後方向に操作され、それに伴って固定軸係止部６Ｄ，６Ｅが図示上下又は左右に移動したとしても、固定軸４Ｄ，４Ｅと干渉しない形状とされている。
【００３１】
図３に示すように、操作用ノブ３の一方の側面３Ａには、本発明に係る第１表示標識として、シート１００の動作に関連づけられた表示標識８Ａ，８Ｂ，８Ｃが備えられている。表示標識８Ａ〜８Ｃは、３つの操作軸係止部６Ａ〜６Ｃのそれぞれに対応して設けられている。また、操作用ノブ３の一方の側面３Ａには、表示標識８Ｄ，８Ｅが備えられている。表示標識８Ｄ，８Ｅは、２つの固定軸係止部６Ｄ，６Ｅのそれぞれに対応して設けられている。本実施例において、表示標識８Ａ〜８Ｃは、それぞれ操作用ノブ３の一方の側面３Ａに開口した開口部９Ａ，９Ｂ，９Ｃ（本発明に係る第１開口部として例示する）の開口縁の形状からなっている。また、表示標識８Ｄ，８Ｅは、それぞれ操作用ノブ３の一方の側面３Ａに開口した開口部９Ｄ，９Ｅの開口縁の形状からなっている。そして、操作軸係止部６Ａ〜６Ｃ及び固定軸係止部６Ｄ，６Ｅは、それらに対応する開口部９Ａ〜９Ｅの奥まった位置にそれぞれ設けられている。
【００３２】
また、図４に示すように、操作用ノブ３の他方の側面３Ｂには、操作軸係止部１０Ａ，１０Ｂ，１０Ｃ（本発明に係る第２係止部として例示する）及び固定軸係止部１０Ｄ，１０Ｅがそれぞれ備えられている。これらは、操作用ノブ３の一方の側面３Ａに備えられた操作軸係止部６Ａ〜６Ｃ及び固定軸係止部６Ｄ，６Ｅと面対称となる形態でそれぞれ設けられている。
【００３３】
また、図４に示すように、操作用ノブ３の他方の側面３Ｂには、表示標識１１Ａ，１１Ｂ，１１Ｃが備えられている。これら表示標識１１Ａ〜１１Ｃは、操作用ノブ３の一方の側面３Ａに備えられた表示標識８Ａ〜８Ｃと面対称となる形態で設けられており、それぞれ操作用ノブ３の他方の側面３Ｂに開口した開口部１２Ａ，１２Ｂ，１２Ｃ（本発明に係る第２開口部として例示する）の開口縁の形状からなっている。また、操作用ノブ３の他方の側面３Ｂには、表示標識１１Ｄ，１１Ｅが備えられている。これら表示標識１１Ｄ，１１Ｅは、操作用ノブ３の一方の側面３Ａに備えられた表示標識８Ｄ，８Ｅと面対称となる形態で設けられており、それぞれ操作用ノブ３の他方の側面３Ｂに開口した開口部１２Ｄ，１２Ｅの開口縁の形状からなっている。
【００３４】
次に、上記（ａ）〜（ｃ）の動作を行う場合のスイッチ装置１における操作用ノブ３の操作について説明する。
上記（ａ）のフロントバーチカル動作にてシートクッション１０１前部を上方に移動させる場合、操作用ノブ３の前部を上方向に押す操作を行う。すると、図８（ａ）に示すように、スイッチ２Ａの操作軸４Ａが操作用ノブ３とともに上方に移動する。一方、スイッチ２Ｃの操作軸４Ｃにおいては、操作用ノブ３は操作軸４Ｃを支点として回動するのみであるので移動しない。また、スイッチ２Ｂの操作軸４Ｂ及び固定軸４Ｄ，４Ｅは、操作軸係止部６Ｂ内及び固定軸係止部６Ｄ，６Ｅ内をそれぞれスライドするのみで移動しない。従って、シートクッション１０１前部が上方に移動する動作のみが行われる。同様に、フロントバーチカル動作にてシートクッション１０１前部を下方に移動させる場合には、操作用ノブ３の前部を下方向に押すことによりスイッチ２Ａの操作軸４Ａのみが操作され、シートクッション１０１前部が下方へ移動する動作が行われる。
【００３５】
上記（ｂ）のスライド動作にてシート１００全体を前後に移動させる場合には、操作用ノブ３全体を前方又は後方へ移動させる操作を行う。すると、図８（ｂ）に示すように、スイッチ２Ｂの操作軸４Ｂが操作用ノブ３とともに前方又は後方へ移動する。一方、スイッチ２Ａ，２Ｃの操作軸４Ａ，４Ｃ、及び固定軸４Ｄ，４Ｅは、操作軸係止部６Ａ，６Ｃ内及び固定軸係止部６Ｄ，６Ｅ内をそれぞれスライドするのみで移動しない。従って、シート１００全体のスライド動作のみが行われる。
【００３６】
上記（ｃ）のリアバーチカル動作にてシートクッション１０１後部を上方に移動させる場合には、操作用ノブ３の後部を上方向に押す操作を行う。すると、図８（ｃ）に示すように、スイッチ２Ｃの操作軸４Ｃが操作用ノブ３とともに上方に移動する。一方、スイッチ２Ａの操作軸４Ａにおいては、操作用ノブ３は操作軸４Ａを支点として回動するのみであるので移動しない。また、操作軸４Ｂ及び固定軸４Ｄ，４Ｅは、操作軸係止部６Ｂ内及び固定軸係止部６Ｄ，６Ｅ内をスライドするのみで移動しない。従って、シートクッション１０１後部が上方に移動する動作のみが行われる。同様に、リアバーチカル動作にてシートクッション１０１後部を下方に移動させる場合には、操作用ノブ３の後部を下方向に押すことによりスイッチ２Ｃの操作軸４Ｃのみが操作され、シートクッション１０１後部が下方へ移動する動作が行われる。
【００３７】
また、本実施例のスイッチ装置１では、操作用ノブ３全体を上方又は下方に移動させる操作を行うことにより、シートクッション１０１を上下に移動させる動作（リフター動作）を行うこともできる。この場合、スイッチ２Ａ及び２Ｃの操作軸４Ａ及び４Ｃが操作用ノブ３とともに移動するが、スイッチ２Ｂの操作軸４Ｂ及び固定軸４Ｄ，４Ｅは、操作軸係止部６Ｂ内及び固定軸係止部６Ｄ，６Ｅ内をスライドするのみで移動しない。
【００３８】
なお、本実施例に係るスイッチ装置１は、図１及び２に示すように、車両用シート１００のシートバック１０２を傾斜させる動作（リクライニング動作）を行うためのスイッチ１３と、このスイッチに係止されるリクライニングノブ１４と、固定軸１５と、を備えている。スイッチ１３は、スイッチ２Ａ〜２Ｃと同様の周知の有接点スイッチであり、接点を接触させるための操作軸１６を備えている。操作軸１６は、図２中に示す矢印方向に沿って移動可能に設けられている。
【００３９】
図９〜図１１に示すように、リクライニングノブ１４の一方の側面１４Ａには、操作軸１６及び固定軸１５とそれぞれ係止可能な係止部１７，１８と、側面１４Ａに開口した開口部１９，２０，２１と、が設けられている。係止部１７，１８は、それぞれ開口部１９，２０の奥まった位置に設けられた有底孔である。また、開口部１９〜２１の各開口縁は、それぞれ表示標識２２，２３，２４とされており、それぞれがリクライニング動作に関連づけられた形状をなしている。
【００４０】
また、リクライニングノブ１４の他方の側面１４Ｂには、操作軸１６及び固定軸１５とそれぞれ係止可能な係止部２５，２６と、側面１４Ｂに開口した開口部２７，２８，２９と、が設けられている。係止部２５，２６及び開口部２７〜２９は、側面１４Ａに設けられた係止部１７，１８及び開口部１９〜２１と面対称となる形態でそれぞれ設けられている。開口部２７〜２９の各開口縁は、それぞれ表示標識３０，３１，３２とされている。
【００４１】
リクライニング動作にてシートバック１０２を前後に傾斜させる場合、リクライニングノブ１４上部を前方又は後方に押す操作を行う。すると、固定軸１５を支点としてリクライニングノブ１４が回動されて操作軸１６が移動し、シートバック１０２が前方又は後方に傾斜する。
【００４２】
（２）実施例の作用効果
次に、上記構成のスイッチ装置１の作用効果について説明する。
スイッチ装置１を車両用シート１００の左側部に設置する場合には、操作用ノブ３の一方の側面３Ａに設けられている操作軸係止部６Ａ〜６Ｃ及び固定軸係止部６Ｄ，６Ｅを、操作軸４Ａ〜４Ｃ及び固定軸４Ｄ，４Ｅにそれぞれ係止する。この場合、操作用ノブ３の他方の側面３Ｂに設けられている表示標識１１Ａ〜１１Ｅが表示される。また、スイッチ装置１をシート１００の右側部に設置する場合には、操作軸係止部１０Ａ〜１０Ｃ及び固定軸係止部１０Ｄ，１０Ｅを、操作軸４Ａ〜４Ｃ及び固定軸４Ｄ，４Ｅにそれぞれ係止する。この場合、操作用ノブ３の側面３Ａ側の表示標識８Ａ〜８Ｅが表示される。このように、操作用ノブ３の一方の側面３Ａ側の構成と他方の側面３Ｂ側の構成とが面対称に設けられていることから、シート１００の左右いずれの側部にもスイッチ装置１を設置することができるようになっている。
【００４３】
以上より、本実施例のスイッチ装置１では、車両用シート１００の各構成部を電動にて動作させるためのスイッチ２Ａ〜２Ｃと、操作用ノブ３と、を備えており、操作用ノブ３の一方の側面３Ａには、スイッチ２Ａ〜２Ｃにそれぞれ係止可能な操作軸係止部６Ａ〜６Ｃが備えられるとともに、動作に関連づけられた表示標識８Ａ〜８Ｃが備えられている。また、操作用ノブ３の他方の側面３Ｂには、操作軸係止部６Ａ〜６Ｃと面対称となる形態で、スイッチ２Ａ〜２Ｃにそれぞれ係止可能な操作軸係止部１０Ａ〜１０Ｃが備えられるとともに、表示標識８Ａ〜８Ｃと面対称となる形態で、動作に関連づけられた表示標識１１Ａ〜１１Ｃが備えられている。このような構成により、スイッチ装置１を車両用シート１００の左右いずれの側部に設置する場合であっても共通して用いることができる。その結果、車両用シートの両側部で別々の操作用ノブを用いる場合と比較して、部品の種類数を削減することができる。
【００４４】
また、上記実施例では、表示標識８Ａ〜８Ｃが、操作用ノブ３の一方の側面３Ａに開口した開口部９Ａ〜９Ｃの開口縁の形状からなり、この開口部９Ａ〜９Ｃの奥まった位置に操作軸係止部６Ａ〜６Ｃが設けられており、表示標識１１Ａ〜１１Ｃが、他方の側面３Ｂに開口した開口部１２Ａ〜１２Ｃの開口縁の形状からなり、この開口部１２Ａ〜１２Ｃの奥まった位置に操作軸係止部１０Ａ〜１０Ｃが設けられているので、各開口部９Ａ〜９Ｃ及び１２Ａ〜１２Ｃの開口縁が表示標識としての形状をなしていることにより、表示標識を容易に認識することができる。また、各操作軸係止部６Ａ〜６Ｃ及び１０Ａ〜１０Ｃが各開口部９Ａ〜９Ｃ及び１２Ａ〜１２Ｃの奥まった位置に設けられていることにより、操作用ノブ３の意匠を損なうことがない。また、表示標識８Ａ〜８Ｃ及び１１Ａ〜１１Ｃが立体的な形状をなしていることにより、視覚的のみならず、触覚的にも認識することができる。
【００４５】
更に、上記実施例では、操作軸４Ａ〜４Ｃによる操作用ノブ３の支持を補助する固定軸４Ｄ，４Ｅを設けるようにするとともに、これら固定軸４Ｄ，４Ｅと係止可能な固定軸係止部６Ｄ，６Ｅ及び１０Ｄ，１０Ｅを設けるようにしたので、操作用ノブ３をより確実に支持することができる。
【００４６】
なお、本発明においては、上記の具体的な実施例に示すものに限られず、目的、用途に応じて本発明の範囲内で種々変更した実施例とすることができる。即ち、上記実施例では、表示標識８Ａ〜８Ｃ及び１１Ａ〜１１Ｃを開口部９Ａ〜９Ｃ及び１２Ａ〜１２Ｃの開口縁の形状からなる形態を例示したが、これに限定されず、例えば、開口部に加飾部を設けるようにして、表示標識８Ａ〜８Ｃ及び１１Ａ〜１１Ｃがより容易に認識できるようにしてもよい。この加飾部としては、例えば、図１２に示すように、表示される側の開口部９Ａ〜９Ｃ又は１２Ａ〜１２Ｃに、加飾部材３３Ａ〜３３Ｃをそれぞれ嵌め込んだ形態とすることができる。また、固定軸４Ｄ，４Ｅと、それらに対応する開口部９Ｄ，９Ｅ及び１２Ｄ，１２Ｅと、が設けられている場合には、開口部９Ｄ，９Ｅ又は１２Ｄ，１２Ｅに嵌め込まれる加飾部材３３Ｄ，３３Ｅを設けた形態としてもよい。更に、加飾部としては、開口部９Ａ〜９Ｃ及び１２Ａ〜１２Ｃの開口縁を縁取るように、塗装等の表面処理を施した形態等であってもよい。
【００４７】
また、上記実施例では、操作軸４Ａ〜４Ｃによる操作用ノブ３の支持を補助する固定軸４Ｄ，４Ｅを設けるようにするとともに、これら固定軸４Ｄ，４Ｅと係止可能な固定軸係止部６Ｄ，６Ｅ及び１０Ｄ，１０Ｅを設けるようにしたが、これに限定されず、例えば、固定軸を設けず、スイッチのみに操作用ノブを係止させる簡易な構成としてもよい。
【００４８】
更に、上記実施例では、スイッチ２Ａ〜２Ｃ側の凸形状の操作軸４Ａ〜４Ｃと、操作用ノブ３側の凹形状の操作軸係止部６Ａ〜６Ｃと、によりスイッチ２Ａ〜２Ｃと操作用ノブ３とを係止するようにしたが、これに限定されず、例えば、スイッチ側に凹形状の操作穴を設けるとともに、操作用ノブ側に凸形状の操作穴係止部と、によりスイッチ２Ａ〜２Ｃと操作用ノブ３とを係止するようにしてもよい。
【００４９】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５０】
本発明は上記で詳述した実施形態に限定されず、本発明の請求項に示した範囲で様々な変形または変更が可能である。
【符号の説明】
【００５１】
１；スイッチ装置、２Ａ〜２Ｃ；スイッチ、３；操作用ノブ、３Ａ；操作用ノブの一方の側面、３Ｂ；操作用ノブの他方の側面、４Ａ〜４Ｃ；操作軸、４Ｄ，４Ｅ；固定軸、５Ａ〜５Ｅ；係合フランジ、６Ａ〜６Ｃ；操作軸係止部（第１係止部）、６Ｄ，６Ｅ；固定軸係止部、８Ａ〜８Ｃ；表示標識（第１表示標識）、８Ｄ，８Ｅ；表示標識、９Ａ〜９Ｃ；開口部（第１開口部）、９Ｄ，９Ｅ；開口部、１０Ａ〜１０Ｃ；操作軸係止部（第２係止部）、１０Ｄ，１０Ｅ；固定軸係止部、１１Ａ〜１１Ｃ；表示標識（第２表示標識）、１１Ｄ，１１Ｅ；表示標識、１２Ａ〜１２Ｃ；開口部（第２開口部）、１２Ｄ〜１２Ｅ；開口部、１３；スイッチ、１４；リクライニングノブ、１４Ａ；リクライニングノブの一方の側面、１４Ｂ；リクライニングノブの一方の側面、１５；固定軸、１６；操作軸、１７，１８；係止部、１９，２０，２１；開口部、２２，２３，２４；表示標識、２５，２６；係止部、２７，２８，２９；開口部、３０，３１，３２；表示標識、３３Ａ〜３３Ｅ；加飾部材、１００；車両用シート、１０１；シートクッション、１０２；シートバック。
【図１】
2013109864.tif 000003
【図２】
2013109864.tif 000004
【図３】
2013109864.tif 000005
【図４】
2013109864.tif 000006
【図５】
2013109864.tif 000007
【図６】
2013109864.tif 000008
【図７】
2013109864.tif 000009
【図８】
2013109864.tif 000010
【図９】
2013109864.tif 000011
【図１０】
2013109864.tif 000012
【図１１】
2013109864.tif 000013
【図１２】
2013109864.tif 000014